(57)【要約】【課題】上面解放の直方体の下箱１と、それに被さる上蓋２とから成り、その上蓋２が、矩形の天板２ａと、その天板２ａの四つの側縁に沿って連設された側板２ｂとから成り、その側板２ｂで下箱１の上側側面を囲んで被さるようになっているとともに、その下箱１の上側側面と上蓋２の側板２ｂとが重なる部分に、下箱１と上蓋２とを位置決めするための位置決め穴１ｂ、２ｃが双方に設けられた紙製の収納箱１０において、その位置決め穴１ｂ、２ｃ同士を合わせつつ、上蓋２が下箱１に対してスムーズに被さるように作製できるようにすること。【解決手段】下箱１の上縁に突条１ｃと、上蓋２の展開状態のものを下箱１に被せた際、その突条１ｃが上蓋２の天板２ａと側板２ｂの境界上で当接する位置に、その突条１ｃが挿嵌可能となった位置決め溝２ｄを設ける。【選択図】図１
2009029481.tif 000002
【特許請求の範囲】
【請求項１】
上面解放の直方体の下箱または四角筒の胴ケースと、それに被さる上蓋とから成り、その上蓋は、矩形の天板と、その四つの側縁に沿って連設された側板とから成り、その側板で下箱または胴ケースの上側側面を囲んで被さるようになっているとともに、その下箱または胴ケースの上側側面と上蓋の側板とが重なる部分に、下箱または胴ケースと上蓋とを位置決めするための位置決め穴が双方に設けられた、ダンボールなどの紙製の収納箱において、
その下箱または胴ケースの上縁に突条と、上蓋の展開状態のものの天板の四つの側縁上に、下箱または胴ケースに上蓋を被せた際、その突条が上蓋の天板と側板の境界上の当接する位置に、その突条が挿嵌可能となった位置決め溝が設けられていることを特徴とする紙製の収納箱。
【発明の詳細な説明】
【技術分野】
【０００１】
この発明はダンボールなどの紙製の収納箱に係り、詳しくは、上面解放の直方体の下箱または四角筒の胴ケースと、それに被さる上蓋とからなるものにおいて、その上蓋が下箱や胴ケースに対してずれることなく被さるように作製できるための構造の改良に関する。
【背景技術】
【０００２】
図２に示すような形態のダンボール製の収納箱２０がある。このものは、上面解放の直方体の下箱１と、その下箱１に被さる上蓋２とから成る。上蓋２は、下箱１の横断面の矩形より僅かに大きい矩形の天板２ａと、その天板２ａの四つの側縁のそれぞれに沿って連設された側板２ｂとから成り、その側板２ｂで下箱１の上側側面に被さるようになっている。
【０００３】
そして、それとともに、その下箱１の側板１ａの上縁寄りの部分と上蓋２の側板２ｂとが重なる部分に、下箱１と上蓋２とを位置決めするための位置決め穴１ｂ、２ｃが双方に設けられている。このようにして、下箱と上箱とを備え、これらの側板が重なる部分に連通するようにジョイント挿通穴を設けた収納箱の一例を、特許文献１に見ることができる。
【０００４】
このような形態の収納具は、背丈の高い収納物を収納する場合に適用されるものであり、上蓋２を下箱１の上方から操作するのではなく、製品を下箱１に収納して上蓋２を被せようとした際、下箱１の上縁の位置、すなわち、上蓋２の位置が、作業者の目線と同じか、それ以上の高さに位置するような背丈の高い製品を収納する場合に用いられるものである。
【０００５】
それとは反対に、例えば、みかん箱のように、収納物の量が少なく、箱も小さく、その高さが低くて済むようなものの場合、その上蓋は、箱の上縁に折り畳み可能に連設されていて、箱の上方から上蓋を操作できるような形態となっている。
【特許文献１】特許第３２２３４４８号公報（第２−３頁、図１）
【発明の開示】
【発明が解決しようとする課題】
【０００６】
ところで、上記のような形態の収納箱２０において、上蓋２を作製する場合、図３（ａ）に示すように、先に形成した下箱１の上縁に、上蓋２の展開状態のものの天板２ａと側板２ｂとの境界の部分を対応させて載置し、その状態で、その境界の部分を、下箱１の上縁に沿って折り曲げて、上蓋２を形成する。
【０００７】
そうすると、この上蓋２の四つの側板２ｂのそれぞれに設けられた位置決め穴２ｃと、下箱１の四つの側板１ａの上側寄りに設けられた位置決め穴１ｂとが、一致するようになっている。図３（ｂ）は、その下箱１の上で上蓋２を完成させた状態である。
【０００８】
しかしながら、上記のような方法で上蓋２を作製した場合、図４（ａ）に示すような上蓋２の側板２ｂの隣接する側縁同士を繋ぐ際、元の上蓋２の展開状態の形状のものの作製時の寸法誤差や、上蓋２に剛性をもたせるために、厚みの厚いダンボールを使うことにより、隣接する側板２ｂの側縁の継ぎ目が、図４（ｂ）に示したように、上蓋２の矩形の領域内に進入してきて、二点鎖線で示す下箱１の外形に歪を与えるように作用することがある。
【０００９】
そうすると、下箱１と上蓋２の位置決め穴１ｂ、２ｃは、本来、図４（ｃ）に示したように、ぴったりと重なっていなければならないのに、上記のことが原因で、図４（ｄ）に示したように、水平方向にずれることになる。
【００１０】
その場合、この位置決め穴同士のずれをそのままにして、側板２ｂの隣接するものの側縁同士を繋ぐわけにはいかないので、例えば、この上蓋２の側板２ｂと下箱１の側板２ｂの位置決め穴の重なりに挿入部材を入れるなどして、あるいは作業者の手で位置決め穴がぴったりと一致するように上蓋２の形を矯正した状態で行わねばならず、力と手間のかかる作業となる。
【００１１】
そこで、本発明は、上面解放の直方体の下箱１と、それに被さる上蓋２とから成り、その上蓋２は、矩形の天板２ａと、その四つの側縁に沿って連設された側板２ｂとから成り、その側板２ｂで下箱１の上側側面を囲んで被さるようになっているとともに、その下箱１の上側側面と上蓋２の側板２ｂとが重なる部分に、下箱１と上蓋２とを位置決めするための位置決め穴が双方に設けられた、ダンボールなどの紙製の収納箱１０において、上蓋２と下箱１の位置決め穴をぴったりと一致させた状態にして、上蓋２の側板２ｂの隣接するものの側縁同士を繋ぐ作業が楽に行なえるようにすることを課題とする。
【００１２】
なお、このことは、その適用対象が、上面解放の直方体の下箱１に限らず、四角筒の胴ケースの場合にも適用可能であるが、以下、下箱１で代表する。
【課題を解決するための手段】
【００１３】
上記課題を解決するために、本発明は、その下箱の上縁に突条と、下箱に上蓋を被せた際、その突条が上蓋の天板と側板の境界上の当接する位置に、その突条が挿嵌可能となった位置決め溝を設ける構成を採用したのである。
【００１４】
このようにしたので、上記のような収納箱を組み立てるには、先ず、上蓋について、その天板の側縁に連設された側板は折り曲げずに、展開状態のままで、その天板と側板との境界に設けられた位置決め溝に、下箱の上縁に設けられた突条を挿入させて載置する。そして、その状態で四つの側板を折り曲げる。
【００１５】
そうすると、その突条と溝との係合によって、下箱の四つの側板の上部に設けた位置決め穴と、上蓋の側板の位置決め穴とがぴったり一致するように拘束されるので、上蓋の隣接する側板の側縁同士の継ぎ目に変形が生じていて、両位置決め穴にずれが生じるように作用しても、位置決め穴同士はぴったりと一致したままである。
【発明の効果】
【００１６】
この発明は、上記のように構成したので、下箱の突条を上蓋の溝に嵌めこむことによって、下箱の四つの側板の上部に設けた位置決め穴と、それに対応する上蓋の側板の位置決め穴とがぴったり一致するので、上蓋の組み立て作業者は、この上蓋側板と下箱の側板の位置決め穴のことについては気にとめず、隣接する側板の側縁の繋ぎにだけ集中できるので、上蓋の組み立てが楽に行える。
【発明を実施するための最良の形態】
【００１７】
以下、図面を参照して、本発明の実施の形態を説明する。図において、従来のものと同じ要素については、従来例の図２〜図４と同じ符号を用いて説明する。図１（ａ）は、本実施形態の収納箱１０の下箱１と上蓋２の展開状態のものを斜視図で描いたものである。図の下側が下箱１であり、上側にあるのが上蓋２の展開状態のものである。
【００１８】
図に示すように、下箱１には、四つの側板１ａの上縁寄りの幅方向中間に上蓋２を位置決めするための長穴１ｂが、その長手方向を水平方向に向けて配設されている。また、四つの側板１ａの一組の対向上縁の中央には突条１ｃが設けられている。
【００１９】
他方、上蓋２の展開状態のものは、下箱１のその横断面の四角より僅かに大きい矩形の天板２ａと、その天板２ａの四つの側縁のそれぞれに連設された側板２ｂとから成り、その天板２ａと側板２ｂの境界線上には、それを下箱１の上縁に載置した際、その上縁から突設された前記突条１ｃが挿嵌可能となった位置決め溝２ｄが設けられている。
【００２０】
その上蓋２を組み立てるには、下箱１の上縁の突条１ｃに、上蓋２を展開状態のまま、その天板２ａと側板２ｂの境界にある位置決め溝２ｄを嵌めこんで載置する。その状態で、四つの側板２ｂを折り曲げ、隣接する側板２ｂの側縁同士を繋ぐ。図１（ｂ）は、その完成した状態である。
【００２１】
この時、前出の図４に示したように、その継ぎ目において、上蓋２の外形に変形が生じていて、下箱１に上蓋２を被せた際、両位置決め穴１ｂ、２ｃにずれが生じるように作用しても、図１（ｃ）および、図１（ｂ）に示すように、下箱１の突条１ｃが上蓋２の溝２ｄに嵌まっているので、位置決め穴１ｂ、２ｃ同士はぴったりと一致する。従って、このような突条１ｃと溝２ｄを設けていなかった場合のように、その位置決め穴１ｂ、２ｃのズレを矯正しながらする必要が無く、上蓋２の隣接する側板２ｂの側縁同士を繋ぐ作業が楽に行える。
【００２２】
なお、以上の実施形態の説明では、上蓋２とのずれの対象として上面解放の直方体の下箱１を採り挙げたが、先にも述べたように、本発明の対象は、そのような下箱１に限られることはなく、四角筒の胴ケースにも適用可能である。
【００２３】
すなわち、その胴ケースの四つの側板の上縁寄りのそれぞれに位置決め穴が設けられており、その位置決め穴と、その胴ケースの側板の上縁寄りに被さる上蓋の側板に設けられた位置決め穴とが重なる場合である。
【産業上の利用可能性】
【００２４】
この発明は、上面解放の直方体の下箱または四角筒の胴ケースと、それら下箱や胴ケースに被さる上蓋とから成り、その上蓋が、矩形の天板と、その四つの側縁に沿って連設された側板とから成り、その側板で下箱や胴ケースの上側側面を囲んで被さるようになっているとともに、その下箱や胴ケースの上側側面と上蓋の側板とが重なる部分に、下箱や胴ケースと上蓋とを位置決めするための位置決め穴が双方に設けられた形態の紙製の収納箱全般に適用可能である。
【図面の簡単な説明】
【００２５】
【図１】は、（ａ）に本実施形態の収納箱の組み立て過程を斜視図で示し、（ｂ）に、その完成状態を斜視図で示し、（ｃ）に本発明の作用を一部断面を含む部分正面図で示したものである。
【図２】は、従来の収納箱を下箱と上蓋に分けて斜視図で示したものである。
【図３】は、（ａ）に従来の収納箱の組み立て過程を斜視図で示し、（ｂ）に、その完成状態を斜視図で示したものである。
【図４】は、（ａ）、（ｂ）に上蓋の製作過程における側板の継ぎ目における変形の発生形態を横断面図で示し、（ｃ）に本来あるべき下箱と上蓋の位置決め穴同士の関係を部分正面図で示し、（ｄ）にその位置決め穴がずれた状態を部分正面図で示したものである。
【符号の説明】
【００２６】
１    下箱
１ａ    側板
１ｂ    位置決め穴
１ｃ    突条
２    上蓋
２ａ    天板
２ｂ    側板
２ｃ    位置決め穴
２ｄ    位置決め溝
１０、２０    収納箱
【図１】
2009029481.tif 000003
【図２】
2009029481.tif 000004
【図３】
2009029481.tif 000005
【図４】
2009029481.tif 000006